(57)【要約】【課題】新金種の２千円券を含む４金種の入金に対応可能にし、かつ入金時における紙幣の収納処理時間を短縮する。【解決手段】万円券用の金種別収納庫１０９、２千円券用の金種別収納庫１１０、千円券用の金種別収納庫１１１を備え、顧客により接客口１０１に挿入された紙幣を紙幣鑑別部１０２に送り正常と判定された５千円券は流通量が少ない金種、例えば、２千円券用の金種別収納庫１１０の一時保留部１０５へ集積し、顧客による入金金額確認指示があった場合、一時保留部１０５へ集積されている２千円券と５千円券の紙幣を分離して、５千円券はリジェクト収納庫１０７へ搬送して収納し、２千円券は一旦接客口１０１に戻した後、２千円券用である金種別収納庫１１０へ搬送して収納する。【選択図】図１
2010205301.tif 000002
【特許請求の範囲】
【請求項１】
第１の金種の紙幣を収納する金種別収納庫と、第１の金種の紙幣と流通量が異なる第２の金種の紙幣を収納する金種別収納庫とを備え、
入金時には、一時保留部へ第２の金種の紙幣とともに第３の金種の紙幣を一時的に集積し、その後の収納動作において第３の金種の紙幣と第２の金種の紙幣を分け、第３の金種の紙幣は出金不可の紙幣を収納するリジェクト収納庫へ、第２の金種の紙幣は該当する金種別収納庫にそれぞれ収納させるようにしたことを特徴とする現金自動入出金装置。
【請求項２】
第１の金種の紙幣を収納する金種別収納庫を備え、
入金時には、第１の金種の紙幣を集積する一時保留部とは別の一時保留部へ第２の金種の紙幣とともに第３の金種の紙幣を一時的に集積し、その後の収納動作において第３の金種の紙幣と第２の金種の紙幣は出金不可の紙幣を収納するリジェクト収納庫へ収納させるようにしたことを特徴とする現金自動入出金装置。
【請求項３】
請求項１または請求項２に記載の現金自動入出金装置において、
入金時の第３の金種の紙幣を、一時的にどの一時保留部へ集積させるかを設定により変更可能としたことを特徴とする現金自動入出金装置。
【請求項４】
第１の金種の紙幣を収納する金種別収納庫と、第１の金種の紙幣と流通量が異なる第２の金種の紙幣を収納する金種別収納庫と、金種別収納庫の紙幣が不足した場合に紙幣を補充するとともに満杯になった場合に紙幣を回収するための補充回収カセットと、紙幣の真偽を鑑別する紙幣鑑別部とを備え、
入金時には、一時保留部へ第２の金種の紙幣とともに第３の金種の紙幣を一時的に集積し、その後の収納動作において第３の金種の紙幣と第２の金種の紙幣を分け、第３の金種の紙幣は出金不可の紙幣を収納するリジェクト収納庫へ、第２の金種の紙幣は補充回収カセットに収納させるようにしたことを特徴とする現金自動入出金装置。
【請求項５】
請求項１〜請求項４のいずれか１項に記載の現金自動入出金装置において、
入金時に、第３の金種の紙幣が一枚も入金されなかった場合には、即金種別収納庫の収納動作を行わせるようにしたことを特徴とする現金自動入出金装置。
【請求項６】
請求項１〜請求項５のいずれか１項に記載の現金自動入出金装置において、
第３の金種は５千円券であることを特徴とする現金自動入出金装置。
【発明の詳細な説明】
【技術分野】
【０００１】
本発明は、現金自動入出金装置に関し、さらに詳しくは、銀行および銀行の無人店舗や小売業店舗等に設置され、紙幣の入出金処理を顧客操作により自動的に行う現金自動入出金装置に関する。
【背景技術】
【０００２】
図７に、従来の紙幣入出金ユニット構成図を示す。この図に示すように、現金自動入出金装置の紙幣入出金ユニットは、顧客が紙幣を入金したり、あるいは、顧客が紙幣を出金したりするための接客口１０１と、ユニット内を走行する紙幣の真偽判別や汚れや折れ具合を判断する紙幣鑑別部１０２と、顧客より入金された紙幣や顧客への出金用紙幣を収納しておく金種別収納庫１０９，１１０，１１１と、出金時に紙幣鑑別部２により出金不適と鑑別されたり、あるいは、金種別収納庫１０９，１１０，１１１からの繰り出し状態が悪く、例えば、２枚繰り出しなどの紙幣のハンドリングの異常が検知された紙幣などを収納するリジェクト収納庫１０７を有している。
【０００３】
この他に出金用紙幣が不足した場合に、金種別収納庫１０９，１１０，１１１に紙幣を補充したり、逆に、金種別収納庫１０９，１１０，１１１で満杯になった紙幣を回収したりできる補充回収カセット１０３があり、補充回収カセット１０３は紙幣入出金ユニット本体に対して着脱可能なものである。
【０００４】
接客口１０１、補充回収カセット１０３、金種別収納庫１０９，１１０，１１１のいずれかから繰り出された紙幣は、搬送路１０８と呼ばれる道順を通って接客口１０１、補充回収カセット１０３、金種別収納庫１０９，１１０，１１１，リジェクト収納庫１０７のいずれかへ搬送される。
【発明の概要】
【発明が解決しようとする課題】
【０００５】
しかし、上記従来の紙幣入出金ユニットを用いた現金自動入出金装置は、一般的には金種別収納庫１０９，１１０を万円券用の収納庫、金種別収納庫１１１を千円券用の収納庫として運用している。このため、例えば、金種別収納庫１０９，１１０，１１１をそれぞれ別々の金種（千・五千・万）の専用収納庫として設定しても最高３金種までの入金・出金の対応しかできなかった。したがって、上記従来の場合は、新金種、例えば、２千円券が発行された場合、新金種別収納庫が専用に用意されていないため新金種の取り扱いができないという問題があった。
【０００６】
本発明は、限られた紙幣収納容量の中で流通量の多い金種の収納容量を最大限に生かしつつ、しかも新金種（例えば、２千円券）を含む４金種の入金あるいは出金に対応できる現金自動入出金装置を実現することを課題とする。
【課題を解決するための手段】
【０００７】
そのため本発明の現金自動入出金装置は、第１の金種の紙幣を収納する金種別収納庫と、第１の金種の紙幣と流通量が異なる第２の金種の紙幣を収納する金種別収納庫とを備え、
入金時には、一時保留部へ第２の金種の紙幣とともに第３の金種の紙幣を一時的に集積し、その後の収納動作において第３の金種の紙幣と第２の金種の紙幣を分け、第３の金種の紙幣は出金不可の紙幣を収納するリジェクト収納庫へ、第２の金種の紙幣は該当する金種別収納庫にそれぞれ収納させるようにしたことを特徴とする。
【発明の効果】
【０００８】
このようにした本発明は、新金種（例えば、２千円券）を含む４金種の入金可能とし、かつ入金時における紙幣の収納処理時間を短縮することができるという効果が得られる。
【図面の簡単な説明】
【０００９】
【図１】本発明の紙幣入出金ユニットの構成図
【図２】顧客取引画面（支払）の例示図
【図３】第２の実施例の制御ブロック図
【図４】第４の実施例の制御ブロック図
【図５】顧客取引画面（入金）の例示図
【図６】第７の実施例の制御ブロック図
【図７】従来の紙幣入出金ユニットの構成図
【発明を実施するための形態】
【００１０】
以下、図面を参照して、本発明の実施例を説明する。なお、これによりこの発明が限定されるものではない。
【実施例１】
【００１１】
図１は、本発明の紙幣入出金ユニットの構成図である。
【００１２】
図１中の１０１は、入金紙幣または出金紙幣を顧客が出し入れするための入金および出金のための接客口である。１０２は、入金および出金時に紙幣の真偽を鑑別する紙幣鑑別部である。１０４，１０５，１０６は、入金時の真券を一時的に保管する一時保留部である。１０９，１１０，１１１は、入金時に紙幣鑑別部１０２により真と鑑別された紙幣を収納し、出金時には顧客が指定した金種枚数の紙幣を払い出す手段をもった金種別収納庫である。
【００１３】
１０７は入金時の紙幣の鑑別結果が、該当する金種別収納庫が存在しない金種の真券であった場合に、その紙幣を収納する入金リジェクト紙幣収納部と、出金時に鑑別結果やその他の要因で出金できないと判断された紙幣を収納する出金リジェクト紙幣収納部を兼ねたリジェクト紙幣収納庫である。１０３は出金用紙幣が不足した場合に金種別収納庫１０９，１１０，１１１に紙幣を補充する手段および金種別収納庫１０９，１１０，１１１で満杯になった紙幣を回収する手段を兼ね備えた補充回収カセットである。補充回収カセット１０３は紙幣入出金ユニット本体に対して着脱可能である。
【００１４】
図示されぬ分離手段によって接客口１０１、補充回収カセット１０３、金種別収納庫１０９，１１０，１１１のいずれかから繰り出された紙幣は、搬送路と呼ばれる１０８−ａ〜１０８−ｏのいずれかの道順を通って接客口１０１、補充回収カセット１０３、金種別収納庫１０９，１１０，１１１、リジェクト収納庫１０７のいずれかへ搬送される。なお、図示しないＣＰＵが図示しない記憶媒体に記憶されたプログラムを読み取って順次実行することにより、本発明の制御を行うものとするが、その詳細は省略する。
【００１５】
次に、第１の実施例の動作説明をする。現金自動入出金装置の運用前にあらかじめ金種別収納庫１０９，１１０，１１１に収納するそれぞれの金種を設定し、紙幣収納しておく。例えば、金種別収納庫１０９を万円券用、金種別収納庫１１０を２千円券用、金種別収納庫１１１を千円券用に設定し紙幣収納しておく。
【００１６】
顧客が出金したい場合には、顧客は、図２に示すような顧客取引画面からキー入力を行い、例えば、万円券１枚、２千円券２枚、千円券３枚を出金指定（支払）すると、前述で設定されている金種別収納庫から顧客が希望した出金金額に相当する各金種毎の紙幣枚数が繰り出される。つまり、金種別収納庫１０９からは万円券が１枚、金種別収納庫１１０からは２千円券が２枚、金種別収納庫１１１からは千円券が３枚繰り出される。
【００１７】
搬送路１０８−ｊへ繰り出された紙幣は、搬送路１０８−ｈを通り、紙幣鑑別部１０２により紙幣走行状態や紙幣の汚れや折れを判別され、正常と判定された紙幣は１０８−ｇ，１０８−ｆ，１０８−ｄ，１０８−ａを通り、接客口１０１へ搬送される。一方、異常と判定された紙幣は１０８−ｇ，１０８−ｋ，１０８−ｌ，１０８−ｏを通り、リジェクト収納庫１０７へ搬送される。リジェクト収納庫１０７へ運ばれた枚数の紙幣は再び該当する金種別収納庫から分離され、顧客が希望した各金種毎の紙幣枚数が接客口１０１へ搬送されると図示せぬ接客シャッタが開き、顧客は紙幣を受け取ることができる。搬送路１０８−ｂ，１０８−ｃは出金時に紙幣の表裏を合わせるために設けられた搬送路であり、顧客が受け取る紙幣は表裏同一方向で揃えられる。
【００１８】
ところで、現金自動入出金装置の出金に関して言えば、一般的には万円券がもっとも流通量が多いことが知られている。したがって、金種別収納庫に各金種毎それぞれ同枚数の紙幣を準備すると顧客の出金により万円券がもっとも早く無くなってしまう。すなわち、各金種別収納庫について１金種のみの設定しかできない場合は、運用が進むに従い、各金種別収納庫内の紙幣残量に差ができ、流通量が多く先に無くなった紙幣については取り扱いができず、流通量が少ない紙幣だけが紙幣入出金ユニットに残ってしまうので、ますます現金自動入出金装置の運用効率が落ちてしまうことになる。
【００１９】
そこで、第１の実施例では、流通量の少ない金種別収納庫の下方には最も流通量の多い万円券をあらかじめ入れておく。例えば、千円券用に設定された金種別収納庫１１１の下に万円券を入れておく。あるいは、２千円券用に設定された金種別収納庫１１０の下に万円券を入れておく。あるいは、千円券用に設定された金種別収納庫１１１の下と２千円券用に設定された金種別収納庫１１０の下の双方に万円券を入れておく。
【００２０】
なお、補充回収カセット１０３から各金種別収納庫１０９，１１０，１１１に紙幣を補充する際、補充回収カセット１０３には、金種毎に紙幣を分けた状態で収納しておき、各金種毎に補充動作を行えるようにするのが好ましい。これにより補充動作を短時間で行うことができる。
【００２１】
顧客による出金により金種別収納庫１０９の万円券が減ってきたら金種別収納庫１１０あるいは金種別収納庫１１１にある紙幣（金種別収納庫の上方にある千円券あるいは２千円券と下方にある万円券ともに）を補充回収カセット１０３へ回収する。そして、この後補充回収カセット１０３から万円券は金種別収納庫１０９へ、千円券あるいは２千円券は元の金種別収納庫へ補充することにより、万円券の取り扱いを中止することなく引き続き出金運用を継続させることができる。
【００２２】
上記第１の実施例では、流通量の多い金種として万円券を例にあげ説明したが、各金種の流通量は地域的な特徴や銀行による特徴などさまざまであり、本発明は万円券のみに固着されるわけでなく他の金種においても同様に適用できる。また、以上のように、金種別収納庫において、流通量の少ない金種の下に流通量の多い金種を収納しておくことで各金種の流通量に応じた紙幣容量の設定ができ、全紙幣収納容量を最大限に生かした現金自動入出金装置の最適運用が期待できる。
【実施例２】
【００２３】
第２の実施例は、上記第１の実施例に加え、金種別収納庫の金種設定を係員からの指示により自由に設定できるようにしたものである。図３に、第２の実施例の制御ブロック図を示す。
【００２４】
現金自動入出金装置制御部１は、金種別収納庫の設定を行う係員操作部４と、係員操作部４を制御する操作表示制御部３を持つ。係員により設定された金種別収納庫設定情報は、紙幣入出金ユニット制御部２へ伝達され、金種別収納庫設定記憶手段６に保持される。金種別収納庫ニアエンド検知手段５によって金種別収納庫に収納されている紙幣容量は、常に監視され、顧客出金に伴い金種別収納庫内の紙幣容量が減り、あらかじめ定められた枚数以下になると、他の金種別収納庫の金種別収納庫カウンタ７を参照し、足りなくなった金種の紙幣が他の金種別収納庫にあるようであれば、紙幣入出金ユニット制御部２はその紙幣が必要な金種別収納庫へ該紙幣を搬送する指示を促す。
【００２５】
なお、前記現金自動入出金装置制御部１には、取引制限管理部１２、カード・伝票処理ユニット１３、コインユニット１４、通帳処理ユニット１５、硬貨入出金ユニット１６等が接続される。また、前記紙幣入出金ユニット制御部２には、鑑別部１７、センサ制御部１８、マグネット制御部１９、モータ制御部２０が接続され、前記鑑別部１７には損券判定レベル記憶手段２１、前記センサ制御部１８にはセンサ群２２、前記モータ制御部２０にはモータ群２３が接続している。
【００２６】
以上のように、第２の実施例によると、金種別収納庫の上方と下方にはそれぞれ別の金種が収納可能であるとともに、これらの該金種別収納庫内に収納する金種の組み合わせを設定により変更可能にすることで地域的な特徴や銀行による特徴にもっとも適した金種別収納庫の設定ができるようになり、より細かい運用形態に対応することができる。
【実施例３】
【００２７】
本第３の実施例の紙幣入出金ユニットは、上記第１の実施例において、図１を参照して説明した構成と同様であるため、説明を省略し、以下では図１を参照して説明する。補充回収カセット１０３は、自らが有する現金の有高を自己確定する機能を持つ。以下に、補充回収カセット１０３の現金有高自己確定方法を説明する。まず、係員により現金をセットされた補充回収カセット１０３を紙幣入出金ユニットに装着する。
【００２８】
次に、図示されぬ分離機構により搬送路１０８−ｅへ繰り出された補充回収カセット内の紙幣は、搬送路１０８−ｆ，１０８−ｇを通り、紙幣鑑別部１０２により紙幣走行状態や紙幣の汚れや折れを判別され、正常と判定された紙幣は１０８−ｈ，１０８−ｊ，１０８−ｌ，１０８−ｍを通り、補充回収カセット１０３へ搬送される。
【００２９】
一方、紙幣鑑別部１０２で異常と判定された紙幣は１０８−ｈ，１０８−ｊ，１０８−ｌ，１０８−ｎを通り、補充回収カセットリジェクト部へ搬送される。このようにして補充回収カセット１０３にセットされた紙幣を紙幣入出金ユニット内で還流させ、紙幣鑑別部１０２を通した後再び補充回収カセット１０３に戻すことで補充回収カセット１０３内の紙幣の有高確定ができる。
【００３０】
次に、上記のような紙幣還流ができる補充回収カセット１０３を使用し２千円券の出金を行う方法を説明する。現金自動入出金装置の運用前にあらかじめ金種別収納庫１０９，１１０，１１１に収納するそれぞれの金種を設定し、紙幣収納しておく。例えば、金種別収納庫１０９，１１０，１１１に収納するそれぞれの金種を設定し、紙幣収納しておく。例えば、金種別収納庫１０９，１１０を流通量の多い万円券用、金種別収納庫１１１を千円券用として設定しておく。また、２千円券を補充回収カセット１０３にあらかじめセットし、補充回収カセット１０３内の紙幣有高確定動作を実施しておき、さらに、２千円券が出金可能な位置まで還流させておく。
【００３１】
顧客が２千円券を出金する場合、補充回収カセット１０３から搬送路１０８−ｅへ繰り出された２千円券は搬送路１０８−ｆ，１０８−ｇを通り、紙幣鑑別部１０２により紙幣走行状態や紙幣の汚れや折れを判別され、正常と判定された２千円券は１０８−ｈ，１０８−ｊを通り、一時保留部１０４，１０５，１０６のいずれかに指定された枚数だけ集積される。一方、紙幣鑑別部１０２で異常と判定された紙幣は、１０８−ｈ，１０８−ｊ，１０８−ｌ，１０８−ｎを通り、補充リジェクト部へ搬送される。
【００３２】
次に、一時保留部に集積された２千円券は再分離され、搬送路１０８−ｊへ繰り出された後、搬送路１０８−ｈを通り、紙幣鑑別部１０２により紙幣走行状態や紙幣の汚れや折れを判別され、正常と判定された紙幣は１０８−ｇ，１０８−ｆ，１０８−ｄ，１０８−ａを通り、接客口１０１へ搬送される。一方、異常と判定された紙幣は、１０８−ｇ，１０８−ｋ，１０８−ｌを通り、リジェクト収納庫１０７へ搬送される。リジェクト収納庫１０７へ運ばれた枚数の２千円券は再び補充回収カセット１０３から分離され、顧客が希望した各金種毎の紙幣枚数が接客口１０１へ搬送されると図示せぬ接客シャッタが開き、顧客は紙幣を受け取ることができる。搬送路１０８−ｂ，１０８−ｃは出金時に紙幣の表裏を合わせるために設けられた搬送路であり、顧客が受け取る紙幣は、表裏同一方向で揃えられる。
【００３３】
以上のように、従来は、金種別収納庫への紙幣補充あるいは金種別収納庫からの紙幣回収をする場合にのみ使用していた補充回収カセットを、紙幣還流可能な金種別収納庫のひとつとして使用することで補充回収カセットから２千円券を直接出金することが可能となる。本実施例では、２千円券を例に挙げて説明したが、補充回収カセット１０３から直接出金させる場合は２千円券のみに限られるわけでなく、他の金種の場合においても同様な効果を期待することができる。
【実施例４】
【００３４】
第４の実施例は、上記第３の実施例に加え、補充回収カセット１０３から出金する紙幣の金種設定を係員からの指示により自由に変更できるようにしたものである。図４に、第４の実施例の制御ブロック図を示す。現金自動入出金装置制御部１は、補充回収カセット１０３の出金金種設定を行う係員操作部４と、係員操作部４を制御する操作表示制御部３を持つ。係員により、設定された補充回収カセット出金金種設定情報は、紙幣入出金ユニット制御部２へ伝達され、補充回収カセット出金金種設定記憶手段８に保持される。
【００３５】
補充回収カセット出金金種設定記憶手段８に保持された金種が、顧客が出金指示した金種と一致した場合には紙幣入出金ユニット制御部２は補充回収カセット１０３から該当紙幣金種を繰り出すよう指示を促す。なお、前記現金自動入出金装置制御部１には、取引制限管理部１２、カード・伝票処理ユニット１３、コインユニット１４、通帳処理ユニット１５、硬貨入出金ユニット１６等が接続される。また、前記紙幣入出金ユニット制御部２には、鑑別部１７、センサ制御部１８、マグネット制御部１９、モータ制御部２０が接続され、前記鑑別部１７には損券判定レベル記憶手段２１、前記センサ制御部１８にはセンサ群２２、前記モータ制御部２０にはモータ群２３が接続している。
【００３６】
以上のように、補充回収カセットから出金する金種設定を変更可能にすることで、紙幣還流可能な補充回収カセットを用いての任意の金種の出金ができるようになり、より細かい運用形態に対応した現金自動入出金装置の最適運用が期待できる。
【実施例５】
【００３７】
第５の実施例では、千円券、２千円券、５千円券、万円券の４金種の紙幣を入金する方法について述べる。第５の実施例の構成は、上記第３の実施例の構成と同じである。
【００３８】
まず、最初に金種別収納庫１０９，１１０，１１１に収納するそれぞれの金種を設定しておく。例えば、金種別収納庫１０９は流通量の多い万円券用、金種別収納庫１１０は２千円券用、金種別収納庫１１１は千円券用として設定しておく。また、５千円券は流通量がもっとも少なく一般的な運用では、入金された５千円券は出金のための再利用紙幣として扱わないことが多いのでリジェクト収納庫１０７に搬送し集積する。その他の金種（千円券、２千円券、万円券）は、出金のための再利用紙幣として扱うため、入金時には先に設定されたそれぞれの金種別収納庫１０９，１１０，１１１に収納され、出金時にそれぞれの金種別収納庫１０９，１１０，１１１から分離され接客口１０１まで搬送される。
【００３９】
さて、顧客が入金をする場合には、接客口１０１に挿入された紙幣は搬送路１０８−ａに繰り出され１０８−ｂ，１０８−ｄ，１０８−ｆ，１０８−ｇを通り、紙幣鑑別部１０２により紙幣走行状態や紙幣の汚れを判別され、正常と判定された紙幣は１０８−ｈ，１０８−ｊを通り万円券は金種別収納庫１０９の一時保留部１０４、２千円券は金種別収納庫１１０の一時保留部１０５、千円券は金種別収納庫１１１の一時保留部１０６へ集積される。一方、紙幣鑑別部１０２で異常と判定された紙幣は、１０８−ｈ，１０８−ｉを通り、接客口１０１へ戻され、顧客に返却される。
【００４０】
ここで、図５に示すような顧客取引画面から顧客による返却指示があると、一時保留部１０４，１０５，１０６に集積されている紙幣は入金された道筋と逆の順路をたどって全て接客口１０１に戻される。また、一時保留部に紙幣が集積されている状態で顧客による入金金額確認指示があると、一時保留部に集積された紙幣は金種別収納庫１０９，１１０，１１１へそれぞれの金種毎に収納される。
【００４１】
入金紙幣に５千円券が混ざっている場合、紙幣鑑別部１０２により紙幣走行状態や紙幣の汚れや折れを判別され、正常と判定された５千円券は１０８−ｈ，１０８−ｊを通り流通量が少ない金種の金種別収納庫上部の一時保留部へ集積する。例えば、２千円券用の金種別収納庫１１０の一時保留部１０５へ集積する。一方、紙幣鑑別部１０２で異常と判定された５千円券は１０８−ｈ，１０８−ｉを通り、接客口１０１へ戻され、顧客に返却される。ここで、図５に示すような顧客取引画面から顧客による返却指示があると一時保留部１０５に集積されている５千円券は２千円券とともに入金された道筋と逆の順路をたどって全て接客口１０１に戻される。一時保留部１０５に２千円券と５千円券が混在している状態で顧客による入金金額確認指示があった場合には、金種別収納庫１１０の設定が２千円券用であるためそのまま収納するわけにはいかない。そこで、混在している２千円券と５千円券すべての紙幣を分離し、５千円券はリジェクト収納庫１０７に搬送し集積、収納し、２千円券は一旦接客口１０１に戻した後、２千円券用である金種別収納庫１１０へ搬送し集積、収納することで入金処理動作が終了する。
【００４２】
本実施例で、入金時に５千円券を流通量の少ない金種別収納庫上部の一時保留部へ流通量の少ない金種といっしょに集積したのは、その後の収納処理動作においても５千円券と混在した金種を再分離する際、できるだけ少ない枚数であるほうが処理時間が短くて済むからである。
【００４３】
以上のように、入金時の５千円券を、流通量の少ない金種別収納庫上部の一時保留部へ流通量の少ない金種といっしょに集積し、その後の収納動作において５千円券と流通量の少ない金種を分け５千円券はリジェクト収納庫へ、その他の金種はそれぞれの金種別収納庫に収納することで入金４金種対応が可能となる。また、５千円券と混在していた金種は出金のための再利用紙幣として活用することができ、運転資金の効率化が期待できる。
本実施例では、流通量の少ない金種の例として２千円券を例に挙げて説明したが、これらの金種のみに限られるわけでなく、他の金種の場合においても同様な効果を期待することができる。
【実施例６】
【００４４】
第６の実施例では、上記第５の実施例と同様に、千円券、２千円券、５千円券、万円券の４金種の紙幣を入金する方法について述べる。第６の実施例の構成は、上記第３の実施例の構成と同じである。
【００４５】
まず、最初に金種別収納庫１０９，１１０，１１１に収納するそれぞれの金種を設定しておく。例えば、金種別収納庫１０９は、流通量の多い万円券用、金種別収納庫１１０は２千円券用、金種別収納庫１１１は千円券用として設定しておく。また、５千円券は、流通量がもっとも少なく一般的な運用では入金された５千円券は、出金のための再利用紙幣として扱わないことが多いのでリジェクト収納庫１０７に搬送し集積する。
【００４６】
その他の金種（千円券、２千円券、万円券）は出金のための再利用紙幣として扱うため、入金時には先に設定されたそれぞれの金種別収納庫１０９，１１０，１１１に収納され、出金時にはそれぞれの金種別収納庫１０９，１１０，１１１から分離され接客口１０１まで搬送される。
【００４７】
さて、顧客が入金をする場合には、接客口１０１に挿入された紙幣は、搬送路１０８−ａに繰り出され、１０８−ｂ，１０８−ｄ，１０８−ｆ，１０８−ｇを通り、紙幣鑑別部１０２により紙幣走行状態や紙幣の汚れや折れを判別され、正常と判定された紙幣は１０８−ｈ，１０８−ｊを通り万円券は金種別収納庫１０９の一時保留部１０４、２千円券は金種別収納庫１１０の一時保留部１０５、千円券は金種別収納庫１１１の一時保留部１０６へ集積される。
【００４８】
一方、紙幣鑑別部１０２で異常と判定された紙幣は、１０８−ｈ，１０８−ｉを通り、接客口１０１へ戻され顧客に返却される。ここで、図５に示すように、顧客取引画面から顧客による返却指示があると一時保留部１０４，１０５，１０６に集積されている紙幣は、入金された道筋と逆の順路をたどって全て接客口１０１に戻される。また、一時保留部に紙幣が集積されている状態で顧客による入金金額確認指示があると、一時保留部に集積された紙幣は金種別収納庫１０９，１１０，１１１へそれぞれの金種毎に収納される。
【００４９】
入金紙幣に５千円券が混ざっている場合、紙幣鑑別部１０２により紙幣走行状態や紙幣の汚れや折れを判別され、正常と判定された５千円券は１０８−ｈ，１０８−ｊを通り、流通量が少ない金種の金種別収納庫上部の一時保留部へ集積する。例えば、２千円券用の金種別収納庫１１０の一時保留部１０５へ集積する。一方、紙幣鑑別部１０２で異常と判定された５千円券は１０８−ｈ，１０８−ｉを通り、接客口１０１へ戻され顧客に返却される。
【００５０】
ここで、図５に示すような顧客取引画面から顧客による返却指示があると一時保留部１０５に集積されている５千円券は２千円券とともに入金された道筋と逆の順路をたどって全て接客口１０１に戻される。一時保留部１０５に２千円券と５千円券が混在している状態で顧客による入金金額確認指示があった場合には、金種別収納庫１１０の設定が２千円券用であるため、そのまま収納するわけにはいかない。そこで、混在している２千円券と５千円券すべての紙幣を分離し、搬送路１０８−ｊ，１０８−ｈ，１０８−ｇ，１０８−ｋ，１０８−ｌ，１０８−ｏへと搬送しリジェクト収納庫１０７へ収納する。
【００５１】
以上のように、入金時の５千円券を、流通量の少ない金種別収納庫上部の一時保留部へ流通量の少ない金種といっしょに集積し、その後の収納動作において５千円券とともに流通量の少ない金種毎リジェクト収納庫へ搬送収納してしまっても、もともと流通量の少ない金種であるから現金自動入出金装置の残り出金可能枚数に対して影響はなく、入金４金種対応が可能となる。また、この方法は、第５の実施例に比べて収納動作の処理時間が短くなる利点がある。本実施例では、流通量の少ない金種の例として２千円券を例に挙げて説明したが、この金種のみに限られるわけでなく、他の金種の場合においても同様な効果を期待することができる。
【実施例７】
【００５２】
第７の実施例は、上記第５の実施例や第６の実施例に加え、入金時に５千円券を一時的に集積しておくのは一時保留部１０４，１０５，１０６のうちどこにするかの設定を係員からの指示により自由に変更できるようにしたものである。
【００５３】
また、５千円券とともに一時保留部へ集積された流通量の少ない金種をその後の収納動作において、全てリジェクト収納庫に搬送収納するのか、再分離して５千円券と混在していた流通量の少ない金種をわけ流通量の少ない金種は出金のための再利用紙幣とするかの再分離金種振り分け有無の設定を係員からの指示により自由に変更できるようにしたものである。
【００５４】
図６に、第７の実施例の制御ブロック図を示す。現金自動入出金装置制御部１は、入金の際の５千円券の一時保留部設定と再分離金種振り分け有無設定を行う係員操作部４と、係員操作部４を制御する操作表示制御部３を持つ。係員により設定された入金の際の５千円券一時保留部設定情報と再分離金種振り分け有無情報は紙幣入出金ユニット制御部２へ伝達され、それぞれ一時保留部設定情報記憶手段１０、再分離金種振り分け有無記憶手段１１に保持される。
【００５５】
５千円券の入金がなされた場合には、これらの記憶手段１０，１１の情報に基づき紙幣入出金ユニット２は第５の実施例あるいは第６の実施例の処理動作を行う。以上のように、入金時の５千円券を一時的に集積しておくのは一時保留部１０４，１０５，１０６のうちどこにするかの設定、および５千円券とともに一時保留部へ集積された流通量の少ない金種をその後の収納動作において全てリジェクト収納庫に搬送収納するのか、再分離して５千円券と混在していた流通量の少ない金種を分け流通量の少ない金種は出金のための再利用紙幣とするのかの設定を係員からの指示により自由に変更できるようにしたので、より細かい運用形態に対応した現金自動入出金装置の最適運用が期待できる。
【実施例８】
【００５６】
第８の実施例では、上記第５の実施例と同様に、千円券、２千円券、５千円券、万円券の４金種の紙幣を入金する方法について述べる。第８の実施例の構成は、上記第３の実施例の構成と同じである。
【００５７】
まず最初に、金種別収納庫１０９，１１０，１１１に収納するそれぞれの金種を設定しておく。例えば、金種別収納庫１０９は流通量の多い万円券用、金種別収納庫１１０は２千円券用、金種別収納庫１１１は千円券用として設定しておく。また、５千円券は流通量がもっとも少なく一般的な運用では、入金された５千円券は出金のための再利用紙幣として扱わないことが多いのでリジェクト収納庫１０７に搬送し集積する。その他の金種（千円券、２千円券、万円券）は出金のための再利用紙幣として扱うため、入金時には先に設定されたそれぞれの金種別収納庫１０９，１１０，１１１に収納され、出金時にはそれぞれの金種別収納庫１０９，１１０，１１１から分離され接客口１０１まで搬送される。
【００５８】
さて、顧客が入金する場合には、接客口１０１に挿入された紙幣は搬送路１０８−ａに繰り出され、１０８−ｂ，１０８−ｄ，１０８−ｆ，１０８−ｇを通り、紙幣鑑別部１０２により紙幣走行状態や紙幣の汚れや折れを判別され、正常と判定された紙幣は１０８−ｈ，１０８−ｊを通り、万円券は金種別収納庫１０９の一時保留部１０４、２千円券は金種別収納庫１１０の一時保留部１０５、千円券は金種別収納庫１１１の一時保留部１０６へ集積される。一方、紙幣鑑別部１０２で異常と判定された紙幣は１０８−ｈ，１０８−ｉを通り、接客口１０１へ戻され顧客に返却される。
【００５９】
ここで、図５に示すような顧客取引画面から顧客による返却指示があると一時保留部１０４，１０５，１０６に集積されている紙幣は入金された道筋と逆の順路をたどって全て接客口１０１に戻される。また、一時保留部に紙幣が集積されている状態で顧客による入金金額確認指示があると一時保留部に集積された紙幣は金種別収納庫１０９，１１０，１１１へそれぞれの金種毎に収納される。
【００６０】
入金紙幣に５千円券が混ざっている場合、紙幣鑑別部１０２により紙幣走行状態や紙幣の汚れや折れを判別され、正常と判定された５千円券は１０８−ｈ，１０８−ｊを通り、流通量が少ない金種の金種別収納庫上部の一時保留部へ集積する。例えば、２千円券用の金種別収納庫１１０の一時保留部へ集積する。一方、紙幣鑑別部１０２で異常と判定された５千円券は１０８−ｈ，１０８−ｉを通り、接客口１０１へ戻され顧客に返却される。
【００６１】
ここで、図５に示すような顧客取引画面から顧客による返却指示があると一時保留部１０５に集積されている５千円券は２千円券とともに入金された道筋と逆の順路をたどって全て接客口１０１に戻される。一時保留部１０５に２千円券と５千円券が混在している状態で顧客による入金金額確認指示があった場合には、金種別収納庫１１０の設定が２千円券用であるためそのまま収納するわけにはいかない。そこで、混在している２千円券と５千円券すべての紙幣を分離し、５千円券はリジェクト収納庫１０７に搬送し集積し、２千円券は補充回収カセット１０３に搬送し集積することで入金処理動作が終了する。
【００６２】
本実施例で、入金時に５千円券を流通量の少ない金種別収納庫上部の一時保留部へ流通量の少ない金種といっしょに集積したのは、その後の収納処理動作において５千円券と混在した金種を再分離する際できるだけ少ない枚数であるほうが処理時間が短くて済むからである。
【００６３】
以上のように、入金時の５千円券を、流通量の少ない金種別収納庫上部の一時保留部へ流通量の少ない金種といっしょに集積し、その後の収納動作において５千円券と流通量の少ない金種を分け５千円券はリジェクト収納庫へ、その他の金種は補充回収カセットに収納することで入金４金種対応が可能となる。また、５千円券と混在していた金種は出金のための再利用紙幣として活用することができ、運転資金の効率化が期待できる。
【００６４】
本実施例では、流通量の少ない金種の例として２千円券を例に挙げて説明したが、これらの金種のみに限られるわけでなく、他の金種の場合においても同様な効果を期待することができる。
【実施例９】
【００６５】
第９の実施例の構成は、上記第３の実施例の構成と同じである。第９の実施例では、上記第５の実施例と同様に、千円券、２千円券、５千円券、万円券の４金種の紙幣入金が可能な構成であり、特に、５千円券が入金紙幣に混ざっていないときについて述べる。まず、最初に、金種別収納庫１０９，１１０，１１１に収納するそれぞれの金種を設定しておく。例えば、金種別収納庫１０９は万円券用、金種別収納庫１１０は２千円券用、金種別収納庫１１１は千円券用として設定しておく。
【００６６】
上記第５の実施例や上記第８の実施例では、入金時に一時保留部１０４，１０５，１０６のいずれかに５千円券と混在させて集積する金種があり、紙幣収納時の処理で再分離をしてそれらの金種を分ける動作が必要であったが、５千円券が入金紙幣に混ざっていないときにはこの動作は必要なく、万円券用に設定された金種別収納庫１０９の一時保留部１０４には万円券のみ、２千円券用に設定された金種別収納庫１１０の一時保留部１０５には２千円券のみ、千円券用に設定された金種別収納庫１１１の一時保留部１０５には２千円券のみ、千円券用に設定された金種別収納庫１１１の一時保留部１０６には千円券のみしか集積しない。次に、一時保留部１０４，１０５，１０６に集積されたそれぞれの金種を金種別収納庫に収納することで入金処理動作が終了する。
【００６７】
以上のように、４金種入金対応可能な現金自動入出金機において、入金時にいずれの金種別収納庫の一時保留部にも５千円券が集積されていない場合、すなわち、５千円券が一枚も入金されなかった場合には、再分離の必要がなく、即金種別収納庫への収納動作に移行できるため、入金動作時間が非常に短縮される。
【符号の説明】
【００６８】
１０２ 紙幣鑑別部
１０３ 補充回収カセット
１０７リジェクト収納庫
１０９〜１１１ 金種別収納庫
【図１】
2010205301.tif 000003
【図２】
2010205301.tif 000004
【図３】
2010205301.tif 000005
【図４】
2010205301.tif 000006
【図５】
2010205301.tif 000007
【図６】
2010205301.tif 000008
【図７】
2010205301.tif 000009